(57)【要約】【課題】表示領域を分割した領域及び該領域に表示した画像を直感的な操作で拡大または縮小する表示制御装置を提供する。【解決手段】主制御部３８により、表示領域上の位置及び表示領域の表示画像に対する操作を指定する操作パネル１４Ｂを備えた表示パネル１４Ａの表示領域を、予め定められた方向に並ぶと共に、複数の種別の何れかの種別に各々表示する画像の種別が定められた複数の分割領域に分割し、分割領域の各々に定められた種別の画像を表示し、指定部を介して行われた少なくとも１つの分割領域内の位置の指定、及び前記複数の分割領域の境界を示す少なくとも１つの境界領域内の位置の指定の少なくとも一方に続いて、表示画像に対する予め定められた操作の指定が検出された場合に、位置が指定された分割領域、及び位置が指定された境界領域に隣接する分割領域の少なくとも一方を対象領域として該対象領域及び該対象領域の表示画像を拡大または縮小する。【選択図】図２
2014071762.tif 000002
【特許請求の範囲】
【請求項１】
画像を表示する表示領域を備えると共に、前記表示領域上の位置及び表示領域に表示された画像に対する操作を指定する指定部を備えた表示手段の前記表示領域を、予め定められた方向に並ぶと共に、複数の種別の何れかの種別に各々表示する画像の種別が定められた複数の分割領域に分割し、前記複数の分割領域の各々に定められた種別の画像を表示する制御を行う第１制御手段と、
前記指定部を介して行われた少なくとも１つの分割領域内の位置の指定、及び前記複数の分割領域の境界を示す少なくとも１つの境界領域内の位置の指定の少なくとも一方に続いて、表示された画像に対する予め定められた操作の指定が検出された場合に、位置が指定された分割領域、及び位置が指定された境界領域に隣接する分割領域の少なくとも一方を対象領域として、該対象領域及び該対象領域に表示されている画像を拡大する拡大制御または縮小する縮小制御を行う第２制御手段と、
を備えた表示制御装置。
【請求項２】
前記第２制御手段が拡大制御を行う場合は、前記少なくとも１つの分割領域内の少なくとも２箇所の位置の指定、及び前記少なくとも１つの境界領域内の２箇所の位置の指定の少なくとも一方に続いて、指定された２箇所の位置を前記予め定められた方向に遠ざける操作が指定された場合であり、
前記第２制御手段が縮小制御する場合は、前記少なくとも１つの分割領域内の少なくとも２箇所の位置の指定、及び前記少なくとも１つの境界領域内の２箇所の位置の指定の少なくとも一方に続いて、指定された２箇所の位置を前記予め定められた方向に近付ける操作が指定された場合である
請求項１記載の表示制御装置。
【請求項３】
前記第２制御手段は、前記少なくとも１つの分割領域内の少なくとも２箇所の位置の指定に続いて、該少なくとも２箇所が指定されてから予め定められた時間内に該少なくとも２箇所の位置が再度指定された場合、指定された位置を含む分割領域を前記対象領域とする
請求項１記載の表示制御装置。
【請求項４】
前記第２制御手段は、前記複数の分割領域のうちの少なくとも１つの分割領域を挟んだ少なくとも２つの分割領域内の位置の指定に続いて、前記予め定められた操作が指定された場合、位置が指定された分割領域、及び位置が指定された分割領域に挟まれた分割領域を前記対象領域とする
請求項１乃至３の何れか１項記載の表示制御装置。
【請求項５】
前記第２制御手段は、少なくとも２つの境界領域における少なくとも２箇所の位置の指定に続いて、該少なくとも２箇所の位置を前記予め定められた方向に移動する操作が指定された場合、位置が指定された境界領域に挟まれた分割領域を前記対象領域とする
請求項１乃至４の何れか１項記載の表示制御装置。
【請求項６】
前記第２制御手段は、前記対象領域及び該対象領域に表示されている画像を拡大する拡大制御を行う場合、該対象領域以外の分割領域及び該対象領域以外の分割領域に表示された画像を、該拡大制御における拡大率が大きくなるほど縮小率を大きくして縮小する縮小制御を行う
請求項１乃至５の何れか１項記載の表示制御装置。
【請求項７】
前記複数の分割領域は、前記画像を表示する画像表示領域、及び該画像表示領域に表示する画像の種別を表示する種別表示領域を各々有し、
前記第２制御手段は、前記種別表示領域内の位置が指定された場合、位置が指定された種別表示領域を含む分割領域を前記拡大制御または前記縮小制御の対象から除外する
請求項１乃至６の何れか１項記載の表示制御装置。
【請求項８】
前記複数の分割領域は、前記画像を表示する画像表示領域、及び該画像表示領域に表示する画像の前記種別を表示する種別表示領域を各々有し、
前記第２制御手段は、前記種別表示領域内の位置の指定に続いて、予め定められた操作が指定された場合、位置が指定された種別表示領域を有する分割領域を前記対象領域とする
請求項１乃至６の何れか１項記載の表示制御装置。
【請求項９】
前記第２制御手段は、少なくとも２つの分割領域の前記種別表示領域内の位置の指定に続いて、指定された位置を前記予め定められた方向に近付ける操作が指定された場合、位置が指定された種別表示領域を含む分割領域を結合して１つの第１の結合領域とし、該指定された種別表示領域を含む分割領域の各々の前記画像表示領域に表示されている画像を該第１の結合領域に拡大して表示する制御を行う
請求項８記載の表示制御装置。
【請求項１０】
前記第２制御手段は、前記複数の分割領域の何れかの分割領域である第１の分割領域の前記種別表示領域内の位置の指定に続いて、位置が指定された位置が該第１の分割領域とは異なる第２の分割領域の前記種別表示領域まで移動して停止する操作が指定された場合、該第１の分割領域と該第２の分割領域とを結合して１つの第２の結合領域とし、該第１の分割領域と該第２の分割領域との各々の前記画像表示領域に表示されている画像を該第２の結合領域に拡大して表示する制御を行う
請求項８または９記載の表示制御装置。
【請求項１１】
請求項１乃至１０の何れか１項記載の表示制御装置と、
前記表示制御装置によって制御される表示手段と、
を有する画像表示装置。
【請求項１２】
コンピュータを、請求項１乃至１０の何れか１項記載の表示制御装置における第１制御手段及び第２制御手段として機能させるためのプログラム。
【発明の詳細な説明】
【技術分野】
【０００１】
本発明は、表示制御装置、画像表示装置、およびプログラムに関する。
【背景技術】
【０００２】
特許文献１には、タッチパネルと、上記タッチパネルに対して１点が指示されたか２点が指示されたかを判別する手段と、上記１点が指示されているときに第１の図形処理モードで図形処理を行う手段と、上記２点が指示されているときに第２の図形処理モードで図形処理を行う手段とを有することを特徴とする図形処理装置が開示されている。
【０００３】
また、特許文献２には、複数に分割されたディスプレイ上の表示領域における一の部分領域に接近する物体を検出する物体接近検出手段と、該物体接近検出手段により前記表示領域における一の部分領域に前記物体が接近したことを検出した場合に、前記物体が接近した一の部分領域を拡大表示する表示制御手段と、を備えることを特徴とするタッチパネル装置が開示されている。
【０００４】
さらに、特許文献３には、複数の操作ボタンを含む操作画面を表示し、選択された操作ボタンをタッチパネルを用いて特定する操作手段を備えるタッチパネル装置において、前記複数の操作ボタンは、複数のグループに区分されており、前記操作画面では、何れかのグループに属する１又は複数の操作ボタンは、第１サイズで、その他のグループに属する１又は複数の操作ボタンは、前記第１サイズよりも小さい第２サイズで示されると共に、前記第２サイズで操作ボタンが示されたグループの各々について、ボタンサイズ変更エリアが示されており、前記操作手段は、選択されたボタンサイズ変更エリアを特定し、前記選択されたボタンサイズ変更エリアに対応するグループに属する操作ボタンが、前記第１サイズで示されると共に、前記選択されたボタンサイズ変更エリアが選択される際に前記第１サイズで示されていた操作ボタンが、前記第２サイズで示されるように変更された前記操作画面を表示することを特徴とするタッチパネル装置が開示されている。
【先行技術文献】
【特許文献】
【０００５】
【特許文献１】特開２００１−１３４３８２号公報
【特許文献２】特開２００８−９７５９号公報
【特許文献３】特開２００８−２４３１２８号公報
【発明の概要】
【発明が解決しようとする課題】
【０００６】
本発明は、画像を表示した領域及び当該領域に表示した画像を直感的な操作で拡大または縮小することができる表示制御装置、画像表示装置、およびプログラムを提供することを目的とする。
【課題を解決するための手段】
【０００７】
上記目的を達成するために、請求項１に記載した表示制御装置は、画像を表示する表示領域を備えると共に、前記表示領域上の位置及び表示領域に表示された画像に対する操作を指定する指定部を備えた表示手段の前記表示領域を、予め定められた方向に並ぶと共に、複数の種別の何れかの種別に各々表示する画像の種別が定められた複数の分割領域に分割し、前記複数の分割領域の各々に定められた種別の画像を表示する制御を行う第１制御手段と、前記指定部を介して行われた少なくとも１つの分割領域内の位置の指定、及び前記複数の分割領域の境界を示す少なくとも１つの境界領域内の位置の指定の少なくとも一方に続いて、表示された画像に対する予め定められた操作の指定が検出された場合に、位置が指定された分割領域、及び位置が指定された境界領域に隣接する分割領域の少なくとも一方を対象領域として、該対象領域及び該対象領域に表示されている画像を拡大する拡大制御または縮小する縮小制御を行う第２制御手段と、を備えている。
【０００８】
また、請求項２に記載した表示制御装置は、請求項１記載の発明において、前記第２制御手段が拡大制御を行う場合は、前記少なくとも１つの分割領域内の少なくとも２箇所の位置の指定、及び前記少なくとも１つの境界領域内の２箇所の位置の指定の少なくとも一方に続いて、指定された２箇所の位置を前記予め定められた方向に遠ざける操作が指定された場合であり、前記第２制御手段が縮小制御する場合は、前記少なくとも１つの分割領域内の少なくとも２箇所の位置の指定、及び前記少なくとも１つの境界領域内の２箇所の位置の指定の少なくとも一方に続いて、指定された２箇所の位置を前記予め定められた方向に近付ける操作が指定された場合である。
【０００９】
また、請求項３に記載した表示制御装置は、請求項１記載の発明において、前記第２制御手段が、前記少なくとも１つの分割領域内の少なくとも２箇所の位置の指定に続いて、該少なくとも２箇所が指定されてから予め定められた時間内に該少なくとも２箇所の位置が再度指定された場合、指定された位置を含む分割領域を前記対象領域とする。
【００１０】
また、請求項４に記載した表示制御装置は、請求項１乃至３の何れか１項記載の発明において、前記第２制御手段が、前記複数の分割領域のうちの少なくとも１つの分割領域を挟んだ少なくとも２つの分割領域内の位置の指定に続いて、前記予め定められた操作が指定された場合、位置が指定された分割領域、及び位置が指定された分割領域に挟まれた分割領域を前記対象領域とする。
【００１１】
また、請求項５に記載した表示制御装置は、請求項１乃至４の何れか１項記載の発明において、前記第２制御手段が、少なくとも２つの境界領域における少なくとも２箇所の位置の指定に続いて、該少なくとも２箇所の位置を前記予め定められた方向に移動する操作が指定された場合、位置が指定された境界領域に挟まれた分割領域を前記対象領域とする。
【００１２】
また、請求項６に記載した表示制御装置は、請求項１乃至５の何れか１項記載の発明において、前記第２制御手段が、前記対象領域及び該対象領域に表示されている画像を拡大する拡大制御を行う場合、該対象領域以外の分割領域及び該対象領域以外の分割領域に表示された画像を、該拡大制御における拡大率が大きくなるほど縮小率を大きくして縮小する縮小制御を行う。
【００１３】
また、請求項７に記載した表示制御装置は、請求項１乃至６の何れか１項記載の発明において、前記複数の分割領域が、前記画像を表示する画像表示領域、及び該画像表示領域に表示する画像の種別を表示する種別表示領域を各々有し、前記第２制御手段が、前記種別表示領域内の位置が指定された場合、位置が指定された種別表示領域を含む分割領域を前記拡大制御または前記縮小制御の対象から除外する。
【００１４】
また、請求項８に記載した表示制御装置は、請求項１乃至６の何れか１項記載の発明において、前記複数の分割領域が、前記画像を表示する画像表示領域、及び該画像表示領域に表示する画像の前記種別を表示する種別表示領域を各々有し、前記第２制御手段が、前記種別表示領域内の位置の指定に続いて、予め定められた操作が指定された場合、位置が指定された種別表示領域を有する分割領域を前記対象領域とする。
【００１５】
また、請求項９に記載した表示制御装置は、請求項８記載の発明において、前記第２制御手段が、少なくとも２つの分割領域の前記種別表示領域内の位置の指定に続いて、指定された位置を前記予め定められた方向に近付ける操作が指定された場合、位置が指定された種別表示領域を含む分割領域を結合して１つの第１の結合領域とし、該指定された種別表示領域を含む分割領域の各々の前記画像表示領域に表示されている画像を該第１の結合領域に拡大して表示する制御を行う。
【００１６】
また、請求項１０に記載した表示制御装置は、請求項８または９記載の発明において、前記第２制御手段が、前記複数の分割領域の何れかの分割領域である第１の分割領域の前記種別表示領域内の位置の指定に続いて、位置が指定された位置が該第１の分割領域とは異なる第２の分割領域の前記種別表示領域まで移動して停止する操作が指定された場合、該第１の分割領域と該第２の分割領域とを結合して１つの第２の結合領域とし、該第１の分割領域と該第２の分割領域との各々の前記画像表示領域に表示されている画像を該第２の結合領域に拡大して表示する制御を行う。
【００１７】
一方、上記目的を達成するために、請求項１１に記載した画像表示装置は、請求項１乃至１１の何れか１項記載の表示制御装置と、前記表示制御装置によって制御される表示手段と、を有している。
【００１８】
さらに、上記目的を達成するために、請求項１２に記載したプログラムは、コンピュータを、請求項１乃至１１の何れか１項記載の表示制御装置における制御手段として機能させる。
【発明の効果】
【００１９】
請求項１、請求項１１及び請求項１２に記載の発明によれば、本発明を適用しない場合に比較して、より直感的な操作で、画像を表示した領域及び当該領域に表示した画像を拡大または縮小することができる。
【００２０】
また、請求項２に記載の発明によれば、少なくとも２箇所の指定及び当該指定の引き続き行われる操作のみにより、より直感的、かつ簡易な操作で、上記領域及び上記画像を拡大または縮小することができる。
【００２１】
また、請求項３に記載の発明によれば、同一箇所に対する連続的な指定を行うことのみにより、より直感的、かつ簡易な操作で、上記領域及び上記画像を拡大または縮小することができる。
【００２２】
また、請求項４に記載の発明によれば、直感的かつ簡易な操作で、複数の領域についてまとめて拡大または縮小することができる。
【００２３】
また、請求項５に記載の発明によれば、少なくとも２箇所の指定及び指定位置の移動のみにより、より直接的、かつ簡易な操作で、上記領域を拡大または縮小することができる。
【００２４】
また、請求項６に記載の発明によれば、指定前に表示されていた全ての画像を表示することができる。
【００２５】
さらに、請求項７に記載の発明によれば、簡易な操作で、上記領域及び上記画像を拡大または縮小する制御の対象から除外することができる。
【００２６】
また、請求項８に記載の発明によれば、位置の指定及び指定位置の移動のみにより、より直感的、かつ簡易な操作で、上記領域及び上記画像を拡大または縮小することができる。
【００２７】
また、請求項９に記載の発明によれば、少なくとも２箇所の指定及び当該指定の引き続き行われる操作のみにより、直感的、かつ簡易な操作で、複数の上記領域を結合させ上記画像を拡大することができる。
【００２８】
また、請求項１０に記載の発明によれば、位置の指定及び指定位置の移動のみにより、直感的、かつ簡易な操作で、複数の上記領域を結合させ上記画像を拡大することができる。
【図面の簡単な説明】
【００２９】
【図１】実施形態に係るスマートフォンの外観を示す斜視図である。
【図２】実施形態に係るスマートフォンの構成を示すブロック図である。
【図３】第１実施形態に係る表示制御処理プログラムの処理の流れを示すフローチャートである。
【図４】第１実施形態に係るメニュー画面の構成例を示す正面図である。
【図５】第１実施形態に係る画像一覧画面の構成例を示す正面図である。
【図６】第１実施形態に係る画像一覧画面に対する操作状態の説明に供する説明図である。
【図７】第１実施形態に係る画像一覧画面に対する操作状態の説明に供する説明図である。
【図８】第１実施形態に係る画像一覧画面に対する操作状態の説明に供する説明図である。
【図９】第１実施形態に係る画像一覧画面に対する操作状態の説明に供する説明図である。
【図１０】第１実施形態に係る画像一覧画面に対する操作状態の説明に供する説明図である。
【図１１】第１実施形態に係る画像一覧画面に対する操作状態の説明に供する説明図である。
【図１２】第１実施形態に係る画像一覧画面に対する操作状態の説明に供する説明図である。
【図１３】第２実施形態に係る表示制御処理プログラムの処理の流れを示すフローチャートである。
【図１４】第２実施形態に係る画像一覧画面に対する操作状態の説明に供する説明図である。
【図１５】第２実施形態に係る画像一覧画面に対する操作状態の説明に供する説明図である。
【図１６】第３実施形態に係る表示制御処理プログラムの処理の流れを示すフローチャートである。
【図１７】第３実施形態に係る画像一覧画面に対する操作状態の説明に供する説明図である。
【図１８】第４実施形態に係る表示制御処理プログラムの処理の流れを示すフローチャートである。
【図１９】第４実施形態に係る画像一覧画面に対する操作状態の説明に供する説明図である。
【図２０】第５実施形態に係る表示制御処理プログラムの処理の流れを示すフローチャートである。
【図２１】第５実施形態に係る画像一覧画面に対する操作状態の説明に供する説明図である。
【図２２】第６実施形態に係る表示制御処理プログラムの処理の流れを示すフローチャートである。
【図２３】第６実施形態に係る画像一覧画面に対する操作状態の説明に供する説明図である。
【図２４】第７実施形態に係る表示制御処理プログラムの処理の流れを示すフローチャートである。
【図２５】第７実施形態に係る画像一覧画面に対する操作状態の説明に供する説明図である。
【図２６】第７実施形態に係る画像一覧画面に対する操作状態の説明に供する説明図である。
【発明を実施するための形態】
【００３０】
以下、図面を参照して、本発明を実施するための形態について詳細に説明する。なお、以下の実施形態では、本発明をスマートフォンに適用した場合を例に挙げて説明する。しかし、これに限らず、本発明は、例えば、他の携帯電話機、ＰＤＡ（Personal Digital Assistants）、携帯型ゲーム機等、タッチパネル・ディスプレイを有する他の装置に適用可能であることは言うまでもない。
【００３１】
また、各実施形態に係るスマートフォンは、複数のメニュー項目を提示してユーザに所望のメニュー項目を選択させることにより、各メニュー項目に対応するアプリケーションプログラムやソフトウェアを起動するが、これに限定されない。すなわち、各実施形態に係るスマートフォンは、アプリケーションプログラムやソフトウェアを起動する指示が入力された場合に、指示されたアプリケーションプログラムやソフトウェアに基づいて後述する一覧表示の機能を起動しても良い。また、各実施形態に係るスマートフォンは、ＵＲＬ（Uniform Resource Locator）が指定された場合に、ウェブブラウジング機能によって起動されるアプリケーションプログラムやソフトウェアで、後述する一覧表示の機能を起動しても良い。
【００３２】
［第１実施形態］
【００３３】
図１に示すように、本実施形態に係るスマートフォン１０は、平板状の筐体１２を有し、筐体１２の一方の面に表示手段としての表示パネル１４Ａと、タッチパネル（指定部）として構成された操作パネル１４Ｂとが一体となった表示入力部１４を備えている。また、係る筐体１２は、スピーカ１６と、マイクロホン１８と、操作部２０と、カメラ部２２とを備えている。なお、筐体１２の形状は単なる平板状に限定されず、例えば、折り畳み構造やスライド機構を有する構成を採用しても良い。
【００３４】
図２に示すように、スマートフォン１０は、主たる構成要素として、上述した表示入力部１４、操作部２０、及びカメラ部２２と、無線通信部２４、通話部２６、記憶部２８、外部入出力部３０、電源部３６、及び主制御部３８とを備えている。なお、スマートフォン１０は、主たる機能として、基地局装置と移動通信網とを介した移動無線通信を行う無線通信機能を備えている。
【００３５】
無線通信部２４は、主制御部３８の指示にしたがって、上記移動通信網に収容された基地局装置に対し無線通信を行うものである。係る無線通信を使用して、外部装置との間で音声データ、画像データ等の各種ファイルデータ、電子メールデータ等の送受信や、ウェブデータやストリーミングデータ等の受信を行う。
【００３６】
一方、表示入力部１４は、主制御部３８の制御により、画像（静止画像および動画像）や文字情報等を表示して視覚的にユーザに情報を伝達するとともに、表示した情報に対するユーザ操作を検出する、いわゆるタッチパネル・ディスプレイである。前述したように、本実施形態に係る表示入力部１４は、表示パネル１４Ａと、操作パネル１４Ｂとを備える。
【００３７】
ここで、表示パネル１４Ａは、ＬＣＤ（Liquid Crystal Display）、ＯＥＬＤ（Organic Electro-Luminescence Display）等を表示デバイスとして用いたものである。また、操作パネル１４Ｂは、表示パネル１４Ａの表示面上に表示される画像を視認可能に表示パネル１４Ａに積層され、ユーザの指や尖筆によって操作される一又は複数の座標を検出するデバイスである。係るデバイスをユーザの指や尖筆によって操作すると、当該デバイスは、操作に起因して発生する検出信号を主制御部３８に出力する。次いで、主制御部３８は、受信した検出信号に基づいて、表示パネル１４Ａ上の操作位置（座標）を検出する。
【００３８】
なお、表示パネル１４Ａの表示領域の大きさと表示パネル１４Ａの大きさとを完全に一致させても良いが、両者を必ずしも一致させる必要は無い。また、操作パネル１４Ｂで採用される位置検出方式としては、マトリクススイッチ方式、抵抗膜方式、表面弾性波方式、赤外線方式、電磁誘導方式、静電容量方式等が挙げられ、いずれの方式を採用しても良い。
【００３９】
一方、通話部２６は、前述したスピーカ１６やマイクロホン１８を備える。通話部２６は、マイクロホン１８を通じて入力されたユーザの音声を主制御部３８にて処理可能な音声データに変換して主制御部３８に出力したり、無線通信部２４または外部入出力部３０により受信された音声データを復号してスピーカ１６から出力したりする。なお、図１に示すように、例えば、スピーカ１６及びマイクロホン１８を表示入力部１４が設けられた面と同じ面に搭載する。
【００４０】
また、操作部２０は、キースイッチ等を用いたハードウェアキーであって、ユーザからの指示を受け付けるものである。例えば、図１に示すように、操作部２０は、スマートフォン１０の筐体１２の側面に搭載され、指等で押下されるとオンとなり、指を離すとバネ等の復元力によってオフ状態となる押しボタン式のスイッチである。
【００４１】
さらに、記憶部２８は、主制御部３８により実行される制御プログラムや制御データ、アプリケーションソフトウェア、通信相手の名称や電話番号等を対応づけたアドレスデータ、送受信した電子メールのデータを記憶する。また、記憶部２８は、ウェブブラウジングによりダウンロードしたウェブデータや、ダウンロードしたコンテンツデータを記憶する。さらに、記憶部２８は、ストリーミングデータ等を一時的に記憶する。
【００４２】
ここで、本実施形態に係る記憶部２８は、スマートフォン１０に内蔵された内部記憶部２８Ａとスマートフォン１０に着脱自在な外部メモリスロットを有する外部記憶部２８Ｂとを含んで構成される。なお、記憶部２８を構成する内部記憶部２８Ａと外部記憶部２８Ｂは、フラッシュメモリタイプ（flash memory type）の格納媒体等を用いて実現される。なお、当該格納媒体は、ハードディスクタイプ（hard disk type）、マルチメディアカードマイクロタイプ（multimedia card micro type）、カードタイプのメモリ（例えば、ＭｉｃｒｏＳＤ（登録商標）メモリ等）であっても良い。また、上記メモリは、ＲＡＭ（Random Access Memory）、ＲＯＭ（Read Only Memory）等の格納媒体であっても良い。
【００４３】
一方、外部入出力部３０は、スマートフォン１０に連結される外部機器とのインターフェースの役割を果たす。本実施形態に係る外部入出力部３０は、他の外部機器に予め定められた通信規格等により直接的又は間接的に接続する。なお、当該通信規格等は、例えば、ユニバーサルシリアルバス（ＵＳＢ）、ＩＥＥＥ１３９４、ネットワーク（例えば、インターネット、無線ＬＡＮ、ブルートゥース（Bluetooth）（登録商標）等）である。または、上記通信規格等は、ＲＦＩＤ（Radio Frequency Identification）、赤外線通信（Infrared Data Association：ＩｒＤＡ）（登録商標）であっても良い。さらに、上記通信規格等は、ＵＷＢ（Ultra Wideband）（登録商標）、ジグビー（ZigBee）（登録商標）であっても良い。
【００４４】
ここで、本実施形態に係るスマートフォン１０に連結される外部機器は、例えば、有線／無線ヘッドセット、有線／無線外部充電器、有線／無線データポート、カードソケットを介して接続されるメモリカード（Memory card）等である。なお、当該外部機器は、ＳＩＭ（Subscriber Identity Module Card）／ＵＩＭ（User Identity Module）カード、オーディオ・ビデオＩ／Ｏ（Input/Output）端子を介して接続される外部オーディオ・ビデオ機器であっても良い。また、当該外部機器は、無線接続される外部オーディオ・ビデオ機器、有線／無線接続されるスマートフォン、有線／無線接続されるパーソナルコンピュータ、有線／無線接続されるＰＤＡ、イヤホンであっても良い。本実施形態に係る外部入出力部３０は、これらの外部機器から伝送されたデータをスマートフォン１０の内部の各構成要素に伝達することや、スマートフォン１０の内部のデータを外部機器に伝送する。
【００４５】
また、電源部３６は、主制御部３８の指示にしたがって、スマートフォン１０の各部に、バッテリ（図示しない）に蓄えられる電力を供給するものである。
【００４６】
さらに、主制御部３８は、マイクロプロセッサを備え、記憶部２８に記憶されている制御処理プログラムや制御データにしたがって動作し、スマートフォン１０の各部を統括して制御するものである。また、主制御部３８は、無線通信部２４を通じて、音声通信やデータ通信を行うために、通信系の各部を制御する移動通信制御機能と、アプリケーション処理機能を備える。
【００４７】
ここで、アプリケーション処理機能は、記憶部２８が記憶するアプリケーションソフトウェアにしたがって主制御部３８が動作することにより実現するものである。なお、アプリケーション処理機能としては、例えば、外部入出力部３０を制御して対向機器とデータ通信を行う赤外線通信機能や、電子メールの送受信を行う電子メール機能、ウェブページを閲覧するウェブブラウジング機能等がある。
【００４８】
また、主制御部３８は、受信データやダウンロードしたストリーミングデータ等の画像データ（静止画像や動画像のデータ）に基づいて、映像を表示入力部１４に表示する等の画像処理機能を備える。なお、ここでいう画像処理機能とは、主制御部３８が、上記画像データを復号し、復号によって得られた画像データに画像処理を施して、画像を表示入力部１４に表示する機能のことをいう。
【００４９】
更に、主制御部３８は、表示パネル１４Ａに対する各種情報の表示制御と、操作部２０や操作パネル１４Ｂ等を介したユーザ操作を検出する操作検出制御とを実行する。
【００５０】
上記表示制御の実行により、主制御部３８は、アプリケーションソフトウェアを起動するためのアイコンや、スクロールバー等のソフトウェアキーを表示したり、あるいは電子メールを作成するためのウィンドウを表示したりする。なお、ここでいうスクロールバーとは、表示パネル１４Ａの表示領域に収まりきれない大きな画像等について、画像の表示部分を移動する指示を受け付けるためのソフトウェアキーのことをいう。
【００５１】
また、上記操作検出制御の実行により、主制御部３８は、操作部２０を介したユーザ操作を検出したり、操作パネル１４Ｂを介して、上記アイコンに対する操作や、上記ウィンドウの入力欄に対する文字列の入力等を受け付けたりする。
【００５２】
さらに、主制御部３８は、操作パネル１４Ｂに対するジェスチャ操作を検出し、検出したジェスチャ操作に応じて、予め設定された機能を実行する。なお、ここでいうジェスチャ操作とは、従来の単純なタッチ操作ではなく、指等によって軌跡を描いたり、複数の位置を同時に指定したり、あるいはこれらを組み合わせて、複数の位置から少なくとも１つについて軌跡を描く操作等を意味する。
【００５３】
一方、カメラ部２２は、ＣＭＯＳ（Complementary Metal Oxide Semiconductor）やＣＣＤ（Charge-Coupled Device）等の撮像素子を用いて撮影するデジタルカメラである。また、カメラ部２２は、主制御部３８の制御により、撮像によって得た画像データを例えばＪＰＥＧ（Joint Photographic coding Experts Group）等の予め定められた規格により圧縮した画像データに変換する。また、カメラ部２２は、変換した画像データを記憶部２８に記録したり、外部入出力部３０や無線通信部２４等を介して外部装置に出力したりする。なお、スマートフォン１０において、カメラ部２２は表示入力部１４と同じ面に搭載されているが、カメラ部２２の搭載位置はこれに限らず、表示入力部１４の背面に搭載されてもよいし、あるいは、複数のカメラ部２２が搭載されてもよい。なお、複数のカメラ部２２が搭載されている場合には、撮影に供するカメラ部２２を切り替えて単独にて撮影したり、あるいは、複数のカメラ部２２を同時に使用して撮影したりする。
【００５４】
ここで、本実施形態に係るカメラ部２２はスマートフォン１０の各種機能に利用する。例えば、表示パネル１４Ａにカメラ部２２で取得した画像を表示することや、操作パネル１４Ｂの操作入力のひとつとして、カメラ部２２の画像を利用する。
【００５５】
さらに、カメラ部２２は、静止画又は動画の画像データにマイクロホン１８により取得した音声情報（主制御部３８等により、音声テキスト変換を行ってテキスト情報となっていてもよい）等を付加する。そして、カメラ部２２は、音声情報を付加した画像データを記憶部２８に記録したり、外部入出力部３０や無線通信部２４を介して外部装置に出力したりする。
【００５６】
ところで、本実施形態に係るスマートフォン１０は、内部記憶部２８Ａ及び外部記憶部２８Ｂの少なくとも一方に画像データが記憶され、かつユーザ操作によって当該画像データの一覧表示が指示された場合、表示パネル１４Ａに当該一覧表示を行わせる制御を行う。なお、本実施形態では、上記画像データとして、カメラ部２２等の撮影手段による撮影によって得られた画像データを適用している。
【００５７】
このように、本実施形態に係るスマートフォン１０は、上記画像データが示す画像を一覧表示させるが、これに限らず、記憶部２８に記憶されている文書ファイル、音声ファイル、アプリケーションプログラム等を表すアイコンの画像等を一覧表示させても良い。
【００５８】
次に、図３を参照して、本実施形態に係るスマートフォン１０の作用を説明する。なお、図３は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【００５９】
同図のステップＳ１０１では、表示パネル１４Ａに、画面遷移の起点となるメニュー画面を表示させる制御を行う。
【００６０】
図４に示すように、本実施形態に係るメニュー画面４２は、メール機能の起動の指示を受け付けるためのメールボタン４４ａ、ウェブブラウジング機能の起動の指示を受け付けるためのウェブボタン４４ｂを備えている。また、メニュー画面４２は、カメラ機能の起動の指示を受け付けるためのカメラボタン４４ｃ、上記一覧表示の機能の起動の指示を受け付けるための画像一覧ボタン４４ｄを備えている。また、メニュー画面４２は、通話機能の起動の指示を受け付けるための通話ボタン４４ｅ、各種設定機能の起動の指示を受け付けるための設定ボタン４４ｆ等のメニューボタンを有する。
【００６１】
ユーザは、メニュー画面４２において、起動させたい機能に対応するメニューボタンの上面に触れることにより何れかのメニュー項目を選択する。これに応じて主制御部３８は、選択されたメニューボタンに対応する機能を起動する。
【００６２】
そこで、次のステップＳ１０３では、ユーザによる何れかのメニューボタンの選択待ちを行う。次のステップＳ１０５では、ユーザによって選択されたメニューボタンが画像一覧ボタン４４ｄであったか否かを判定する。ステップＳ１０５で否定判定となった場合はステップＳ１０７に移行し、選択されたメニューボタンに対応する機能を実行した後に、本表示制御処理プログラムを終了する。一方、ステップＳ１０５で肯定判定となった場合は、ステップＳ１０９に移行する。
【００６３】
ステップＳ１０９では、記憶部２８に記憶されている画像データにより示される画像（以下、「表示対象画像」という。）を一覧表示する画像一覧画面を表示パネル１４Ａに表示する制御を行う。
【００６４】
図５に示すように、本実施形態に係る画像一覧画面４６は、表示パネル１４Ａの表示領域が予め定められた方向（本実施形態では、図５の正面視上下方向であり、以下、「分割方向」という。）に分割された複数の分割領域４８に区分される。また、各分割領域４８は、表示対象画像５０を表示する画像表示領域４８Ａと画像表示領域４８Ａに表示している表示対象画像５０に対応する種別を表示する種別表示領域４８Ｂとに更に区分される。
【００６５】
そして、上記表示対象画像５０が、予め定められた種別毎に分割領域４８に割り振られて、各分割領域４８に表示される。ここで、各分割領域４８には、上記種別毎に割り振られた各表示対象画像５０が、上記分割方向とは交差する方向（本実施形態では、図５の正面視左右方向であり、以下、「配列方向」という。）に配列されて表示される。
【００６６】
なお、本実施形態に係るスマートフォン１０では、上記表示対象画像５０として、自身のカメラ部２２による撮影で得られた画像データが示す画像や、記憶部２８に記憶されている画像データが示す画像を適用している。また、スマートフォン１０では、撮影によって得られ、無線通信部２４、外部入出力部３０等を介して外部装置から入力された画像データにより示される画像を適用している。なお、本実施形態に係るスマートフォン１０で適用している表示対象画像５０を示す画像データには撮影者を示す情報が付与された状態で記憶されており、本実施形態では、上記種別として撮影者を適用している。
【００６７】
次のステップＳ１１１では、操作パネル１４Ｂ及び操作部２０の何れか一方に対する入力操作が行われるまで待機する。そして、次のステップＳ１１３では、当該入力操作が表示制御処理プログラムを終了させる指示の入力操作であったか否かを判定する。本実施形態に係るスマートフォン１０では、スマートフォン１０の正面視左側に位置する操作部２０に対する押圧操作が行われた場合に、その時点で実行されている処理を終了するものとされている。したがって当該操作部２０が押圧操作されたか否かを判定することにより、本表示制御処理プログラムを終了させる指示への入力操作であるか否かを判定する。
【００６８】
ステップＳ１１３で否定判定となった場合はステップＳ１１５に移行し、上記入力操作が、２箇所以上の位置を指定する入力操作であるか否かを判定する。この際、主制御部３８は、操作パネル１４Ｂを介して、少なくとも１つの分割領域４８における２箇所以上の位置で接触があった場合に、上記入力操作が２箇所以上の位置を指定する入力操作であったと判定する。
【００６９】
ステップＳ１１５で否定判定となった場合はステップＳ１１７に移行し、入力操作に応じた処理を実行し、本表示制御処理プログラムを終了する。なお、当該入力操作に応じた処理は、例えば１箇所の位置を指定する入力操作が行われて何れかの表示対象画像５０が指定された場合、指定された表示対象画像５０を拡大して表示パネル１４Ａの表示領域の全体に表示する処理等を例示することができる。
【００７０】
一方、ステップＳ１１５で肯定判定となった場合はステップＳ１１９に移行し、操作パネル１４Ｂにおいて指定されている操作パネル１４Ｂ上の位置（以下、「指定位置」という。）に表示されている分割領域４８（以下、「抽出領域」という。）を抽出する。なお、本実施形態では、複数の指定位置に表示されている各々の分割領域４８の間に他の分割領域４８が表示されている場合、当該他の分割領域４８をも抽出領域とするが、これに限定されない。すなわち、複数の指定位置に表示されている各々の分割領域４８の間に他の分割領域４８が表示されている場合であっても、複数の指定位置に表示されている分割領域４８のみを抽出領域としても良い。
【００７１】
次のステップＳ１２１では、上記指定位置が上記分割方向に移動したか否かを判定する。この際、主制御部３８は、指定位置が、ステップＳ１１１の処理時における指定位置から上記分割方向に予め定められた距離（例えば３ｍｍ）以上移動した場合に、指定位置が移動したと判定する。
【００７２】
ステップＳ１２１で否定判定となった場合は後述するステップＳ１３１に移行する。一方、ステップＳ１２１で肯定判定となった場合はステップＳ１２３に移行し、指定位置が上記分割方向に相互に近付いたか否かを判定する。この際、指定位置が３箇所以上である場合には、少なくとも２箇所の指定位置が上記分割方向に相互に近付いた場合に、指定位置が相互に近付いたと判定する。
【００７３】
ステップＳ１２３で肯定判定となった場合はステップＳ１２５に移行し、上記抽出領域を上記分割方向に縮小すると共に、当該抽出領域の縮小に応じて当該抽出領域に表示させた表示対象画像５０をアスペクト比を維持しつつ縮小して表示する制御を行う。この際、抽出領域を、指定位置の上記分割方向に対する移動量に応じた縮小率で縮小することが好ましいが、これに限定されず、予め定められた縮小率（例えば１／２倍）で縮小しても良い。また、表示対象画像５０を、分割領域４８を縮小する縮小率で縮小することが好ましいが、これに限定されず、分割領域４８の内部に表示可能なサイズに縮小すれば良い。
【００７４】
一方、ステップＳ１２３で否定判定となった場合はステップＳ１２７に移行し、指定位置が上記分割方向に相互に遠ざかったか否かを判定する。この際、指定位置が３箇所以上である場合には、少なくとも２箇所の指定位置が上記分割方向に相互に遠ざかった場合に、指定位置が相互に遠ざかったと判定する。
【００７５】
ステップＳ１２７で否定判定となった場合は後述するステップＳ１３１に移行する。一方、ステップＳ１２７で肯定判定となった場合はステップＳ１２９に移行し、上記抽出領域を上記分割方向に拡大すると共に、当該抽出領域の拡大に応じて当該抽出領域に表示させた表示対象画像５０をアスペクト比を維持しつつ拡大して表示する制御を行う。この際、抽出領域を、指定位置の上記分割方向に対する移動量に応じた拡大率で拡大させることが好ましいが、これに限定されず、予め定められた拡大率（例えば２倍）で拡大しても良い。また、表示対象画像５０を、分割領域４８を拡大する拡大率で拡大することが好ましいが、これに限定されず、分割領域４８の内部に表示可能なサイズに拡大すれば良い。
【００７６】
次のステップＳ１３１では、ユーザによる操作パネル１４Ｂに対する接触状態が解除されたか否かを判定することにより、上記入力操作が解除されたか否かを判定する。ステップＳ１３１で否定判定となった場合は上記ステップＳ１２１に戻る。一方、ステップＳ１３１で肯定判定となった場合は上記ステップＳ１１１に戻る。
【００７７】
一方、上記ステップＳ１１３で肯定判定となった場合はステップＳ１３３に移行し、画像一覧画面４６の表示を停止するように表示パネル１４Ａを制御し、本表示制御処理プログラムを終了する。
【００７８】
一例として図６（Ａ）に示すように、撮影者Ｂの表示対象画像５０を表示する分割領域４８の内部の２箇所の位置が指定位置５４とされ、当該指定位置５４が分割方向に相互に遠ざかる方向に移動したとする。この場合、図６（Ｂ）に示すように、主制御部３８は、当該分割領域４８を抽出領域として、指定位置５４の移動に応じて抽出領域を上記分割方向に拡大すると共に、抽出領域の拡大に応じて抽出領域に表示している表示対象画像５０を拡大して表示する。
【００７９】
本実施形態では、図６（Ｂ）に示すように、主制御部３８は、抽出領域の拡大に応じて該拡大制御における拡大率が大きくなるほど縮小率を大きくして抽出領域でない分割領域４８（以下、「非抽出領域」という。）を上記分割方向に縮小する。また、主制御部３８は、当該非抽出領域の縮小に応じて当該非抽出領域に表示している表示対象画像５０を縮小して表示する。この際、主制御部３８は、上述した抽出領域を拡大する処理を行う前の段階で表示パネル１４Ａの表示領域に表示していた分割領域４８が、全て表示される縮小率で、非抽出領域を上記分割方向に縮小すると良い。また、非抽出領域を予め定められた縮小率で縮小しても良い。
【００８０】
なお、図７に示すように、主制御部３８は、抽出領域を拡大する場合に、非抽出領域、及び当該非抽出領域に表示している表示対象画像５０を縮小せずにそのままのサイズで表示しても良い。
【００８１】
また、一例として図８（Ａ）に示すように、撮影者Ｂの表示対象画像５０を表示する分割領域４８の内部の１箇所の位置と、撮影者Ｃの表示対象画像５０を表示する分割領域４８の内部の１箇所の位置とが指定位置５４とされたとする。また、このときの指定位置５４が分割方向に対して相互に遠ざかる方向に移動したとする。この場合、図８（Ｂ）に示すように、主制御部３８は、撮影者Ｂの表示対象画像５０を表示する分割領域４８と、撮影者Ｃの表示対象画像５０を表示する分割領域４８とを抽出領域として、指定位置５４の移動に応じて抽出領域を上記分割方向に拡大する。また、主制御部３８は、抽出領域の拡大に応じて抽出領域に表示している表示対象画像５０を拡大して表示する。
【００８２】
また、一例として図９（Ａ）に示すように、撮影者Ｂの表示対象画像５０を表示する分割領域４８の内部の１箇所の位置と、撮影者Ｄの表示対象画像５０を表示する分割領域４８の内部の１箇所の位置とが指定位置５４とされたとする。また、当該指定位置５４が分割方向に相互に遠ざかる方向に移動したとする。この場合、図９（Ｂ）に示すように、主制御部３８は、撮影者Ｂ及び撮影者Ｄの表示対象画像５０を表示する分割領域４８と、それらの分割領域４８に挟まれた撮影者Ｃの表示対象画像５０を表示する分割領域４８を抽出領域とする。そして、主制御部３８は、指定位置５４の移動に応じて抽出領域を上記分割方向に拡大すると共に、抽出領域の拡大に応じて抽出領域に表示している表示対象画像５０を拡大して表示する。
【００８３】
ここまでの例では、分割領域４８及び分割領域４８に表示している表示対象画像５０を拡大する例を説明したが、分割領域４８及び分割領域４８に表示している表示対象画像５０を縮小する場合も同様である。
【００８４】
すなわち、一例として図１０（Ａ）に示すように、撮影者Ｂの表示対象画像５０を表示する分割領域４８の内部の１箇所の位置と、撮影者Ｃの表示対象画像５０を表示する分割領域４８の内部の１箇所の位置とが指定位置５４とされたとする。また、指定位置５４が分割方向に対して相互に近付く方向に移動したとする。この場合、図１０（Ｂ）に示すように、主制御部３８は、撮影者Ｂの表示対象画像５０を表示する分割領域４８と、撮影者Ｃの表示対象画像５０を表示する分割領域４８とを抽出領域とする。そして、主制御部３８は、指定位置５４の移動に応じて抽出領域を上記分割方向に縮小すると共に、抽出領域の縮小に応じて抽出領域に表示している表示対象画像５０を縮小して表示する。
【００８５】
また、スマートフォン１０は、表示パネル１４Ａの表示領域に表示している全ての分割領域４８を拡大または縮小させても良い。すなわち、一例として図１１（Ａ）に示すように、撮影者Ｂの表示対象画像５０を表示する分割領域４８の内部の１箇所の位置と、撮影者Ｃの表示対象画像５０を表示する分割領域４８の内部の１箇所の位置とが指定位置５４とされたとする。また、指定位置５４が分割方向に相互に遠ざかる方向に移動したとする。この場合、図１１（Ｂ）に示すように、主制御部３８は、上記表示領域に表示している全ての分割領域４８を抽出領域とする。また、主制御部３８は、指定位置５４の移動に応じて抽出領域を上記分割方向に拡大すると共に、抽出領域の拡大に応じて抽出領域に表示している表示対象画像５０を拡大して表示する。
【００８６】
さらに、一例として図１２（Ａ）に示すように、撮影者Ｂの表示対象画像５０を表示する分割領域４８の内部の１箇所の位置と、撮影者Ｃの表示対象画像５０を表示する分割領域４８の内部の１箇所の位置とが指定位置５４とされたとする。また、指定位置５４が分割方向に相互に近付く方向に移動したとする。この場合、図１２（Ｂ）に示すように、主制御部３８は、上記表示領域に表示している全ての分割領域４８を抽出領域とする。また、主制御部３８は、指定位置５４の移動に応じて抽出領域を上記分割方向に縮小すると共に、抽出領域の縮小に応じて抽出領域に表示している表示対象画像５０を縮小して表示する。
【００８７】
なお、複数の指定位置５４が上記分割方向に相互に予め定められた閾値（例えば３ｃｍ）以上離れていた場合に、上記表示領域に表示された全ての分割領域４８を拡大または縮小させても良い。上記閾値は、ユーザが分割領域４８の指定に用いる複数の指を広げた状態におけるこれらの指の指先間の距離を考慮して決定すると良い。または、複数の指定領域の間に挟まれた分割領域４８の数があらかじめ定められた閾値（たとえば２つ）以上である場合に、上記表示領域に表示された全ての分割領域４８を拡大または縮小させても良い。
【００８８】
また、分割領域４８及び複数の分割領域４８の境界領域の双方が指定された場合、指定された分割領域４８と、当該分割領域４８及び指定された上記境界領域に挟まれた分割領域４８とを抽出領域とすると良い。
【００８９】
［第２実施形態］
【００９０】
上記第１実施形態に係るスマートフォン１０は、操作パネル１４Ｂを介した複数の指定位置５４が相互に近付いた場合、または遠ざかった場合に、上記抽出領域及び抽出領域に表示している表示対象画像５０を拡大または縮小する制御を行う。これに対し、本第２実施形態に係るスマートフォン１０は、操作パネル１４Ｂを介して、複数の指定位置５４を再度指定する操作が行われた場合に、上記抽出領域及び抽出領域に表示している表示対象画像５０を拡大または縮小する制御を行う。
【００９１】
なお、第２実施形態に係るスマートフォン１０の構成は、第１実施形態に係るスマートフォン１０と同様であるので、ここでは説明は省略する。
【００９２】
次に、図１３を参照して、本実施形態に係るスマートフォン１０の作用を説明する。なお、図１３は、操作パネル１４Ｂまたは操作部２０を介して実行指示が入力された際にスマートフォン１０の主制御部３８によって実行される第２実施形態に係る表示制御処理プログラムの処理の流れを示すフローチャートである。当該プログラムは、内部記憶部２８Ａの予め定められた領域に予め記憶されている。
【００９３】
始めに、ステップＳ１０１乃至Ｓ１１５及びステップＳ１３３では、第１実施形態のステップＳ１０１乃至Ｓ１１５と同一の処理を行う。
【００９４】
ステップＳ１１５で否定判定となった判定した場合はステップＳ２０１に移行する。
【００９５】
ステップＳ２０１では、指定位置５４に対する予め定められた操作が行われたか否かを判定する。本実施形態では、当該予め定められた操作として、指定位置５４から一旦指先を離して、予め定められた時間内に当該指定位置５４が再度指定される操作（所謂ダブルタップ操作）を適用している。なお、当該予め定められた操作は、ダブルタップ操作に限定されず、指定位置５４を予め定められた方向に移動させる操作や、同一の位置に対する指定が予め定められた期間（例えば２秒）以上継続して行われる操作（所謂長押し操作）等を適用してもよい。
【００９６】
ステップＳ２０１で否定判定となった場合はステップＳ２０３に移行し、指定位置５４に応じた処理を実行し、本表示制御処理プログラムを終了する。なお、本実施形態に係る指定位置５４に応じた処理は、第１実施形態の表示制御処理プログラムで行われる処理等である。
【００９７】
一方、ステップＳ２０１で肯定判定となった場合はステップＳ１１９に移行し、第１実施形態のステップＳ１１９と同一の処理を行い、ステップＳ２０５に移行する。
【００９８】
次のステップＳ２０５では、抽出領域が上記分割方向に拡大された状態であるか否かを判定する。この際、主制御部３８は、後述するステップＳ２０７の処理によって抽出領域が拡大されている場合、抽出領域が拡大された状態であると判定する。
【００９９】
ステップＳ２０５で否定判定となった場合はステップＳ２０７に移行し、抽出領域を上記分割方向に予め定められた拡大率（例えば２倍）で拡大する制御を行う。また、主制御部３８は、該抽出領域に表示している表示対象画像５０をアスペクト比を維持しつつ当該拡大率で拡大して表示する制御を行い、上記ステップＳ１１１に戻る。本実施形態では、内部記憶部２８Ａが、当該予め定められた拡大率を示す情報を予め記憶しており、主制御部３８は、内部記憶部２８Ａから当該情報を取得し、取得した情報が示す拡大率で上記抽出領域及び上記画像を拡大する。
【０１００】
一方、ステップＳ２０５で肯定判定となった場合、ステップ２０９に移行し、抽出領域を上記分割方向に予め定められた縮小率（例えば１／２倍）で縮小する制御を行う。また、主制御部３８は、該抽出領域に表示している表示対象画像５０をアスペクト比を維持しつつ当該縮小率で縮小して表示する制御を行い、上記ステップＳ１１１に戻る。本実施形態では、内部記憶部２８Ａが、当該予め定められた縮小率を示す情報を予め記憶しており、主制御部３８は、内部記憶部２８Ａから当該情報を取得し、取得した情報が示す縮小率で上記抽出領域及び上記画像を縮小する。
【０１０１】
なお、抽出領域が複数あった場合は、全ての抽出領域について、ステップＳ２０７の処理又はステップＳ２０９の処理を行っても良く、抽出領域の各々毎にステップＳ２０５乃至Ｓ２０９の処理を行っても良い。
【０１０２】
一例として図１４（Ａ）に示すように、撮影者Ｂの表示対象画像５０を表示する分割領域４８の内部の２箇所の位置において上記ダブルタップが行われたとする。この場合、図１４（Ｂ）に示すように、主制御部３８は、撮影者Ｂの表示対象画像５０を表示する分割領域４８を抽出領域とする。また、主制御部３８は、抽出領域を予め定められた拡大率で上記分割方向に拡大すると共に、抽出領域の拡大に応じて抽出領域に表示している表示対象画像５０を拡大して表示する。
【０１０３】
なお、図１４（Ｂ）に示すように、撮影者Ｂの表示対象画像５０を表示する分割領域４８が拡大されており、かつ当該分割領域４８の内部の２箇所の位置においてダブルタップが行われたとする。この場合には、主制御部３８は、撮影者Ｂの表示対象画像５０を表示する分割領域４８を抽出領域とする。また、主制御部３８は、予め定められた縮小率で抽出領域を上記分割方向に縮小すると共に、抽出領域の縮小に応じて抽出領域に表示している表示対象画像５０を縮小して表示する。
【０１０４】
また、一例として図１５（Ａ）に示すように、撮影者Ｂの表示対象画像５０を表示する分割領域４８、撮影者Ｃの表示対象画像５０を表示する分割領域４８、及び撮影者Ｄの表示対象画像５０を表示する分割領域４８の各々においてダブルタップが行われたとする。この場合、図１５（Ｂ）に示すように、主制御部３８は、撮影者Ｂの表示対象画像５０を表示する分割領域４８と、撮影者Ｃの表示対象画像５０を表示する分割領域４８と、撮影者Ｄの表示対象画像５０を表示する分割領域４８とを抽出領域とする。また、主制御部３８は、予め定められた拡大率で抽出領域を拡大すると共に、抽出領域の拡大に応じて抽出領域に表示している表示対象画像５０を拡大して表示する。
【０１０５】
また、撮影者Ｂの表示対象画像５０を表示する分割領域４８と撮影者Ｄの表示対象画像５０を表示する分割領域４８とにおいてダブルタップが行われたとする。この場合には、撮影者Ｂの表示対象画像５０を表示する分割領域４８と撮影者Ｄの表示対象画像５０を表示する分割領域４８と、当該分割領域４８に挟まれた撮影者Ｃの表示対象画像５０を表示する分割領域４８とを抽出領域としても良い。
【０１０６】
［第３実施形態］
【０１０７】
上記第１実施形態に係るスマートフォン１０は、操作パネル１４Ｂを介した画像表示領域４８Ａの複数の指定位置５４が相互に近付いた場合、または遠ざかった場合に、抽出領域及び抽出領域に表示している表示対象画像５０を拡大または縮小する制御を行う。これに対し、第３実施形態に係るスマートフォン１０は、操作パネル１４Ｂを介した種別表示領域４８Ｂの複数の指定位置５４が相互に近付いた場合、または遠ざかった場合に、上記拡大または縮小する制御を行う。
【０１０８】
なお、第３実施形態に係るスマートフォン１０の構成は、第１実施形態及び第２実施形態に係るスマートフォン１０と同様であるので、ここでの説明は省略する。
【０１０９】
次に、図１６を参照して、本実施形態に係るスマートフォン１０の作用を説明する。なお、図１６は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【０１１０】
始めに、ステップＳ１０１乃至Ｓ１１３及びＳ１３３では、第１実施形態のステップＳ１０１乃至Ｓ１１３と同一の処理を行う。
【０１１１】
次のステップＳ３０１では、上記入力操作が種別表示領域４８Ｂの内部の２箇所以上の位置を指定する操作であったか否かを判定する。この際、主制御部３８は、操作パネル１４Ｂを介して、ユーザにより何れの分割領域の４８の種別表示領域４８Ｂの内部の２箇所以上の位置で接触された場合に、上記入力操作が種別表示領域４８Ｂを２箇所以上指定する操作であったと判定する。
【０１１２】
ステップＳ３０１で否定判定となった場合はステップＳ１１７に移行し、第１実施形態のステップＳ１１７と同一の処理を行う。
【０１１３】
一方、ステップＳ３０１で肯定判定となった場合はステップＳ１１９に移行する。そして、次のステップＳ１１９乃至ステップＳ１３３では、第１実施形態のステップＳ１１９乃至Ｓ１３３と同一の処理を行う。
【０１１４】
一例として図１７（Ａ）に示すように、撮影者Ｂの表示対象画像５０を表示する分割領域４８の種別表示領域４８Ｂの内部の１箇所の位置と、撮影者Ｃの表示対象画像５０を表示する分割領域４８の種別表示領域４８Ｂの内部の１箇所の位置とが指定されたとする。それらの指定位置５４が上記分割方向に相互に遠ざかる方向に移動したとする。この場合、図１７（Ｂ）に示すように、主制御部３８は、撮影者Ｂの表示対象画像５０を表示する分割領域４８及び撮影者Ｃの表示対象画像５０を表示する分割領域４８を抽出領域とする。また、主制御部３８は、指定位置５４の移動に応じて抽出領域を拡大すると共に、抽出領域の拡大に応じて抽出領域に表示している表示対象画像５０を拡大して表示する。
【０１１５】
［第４実施形態］
【０１１６】
上記第３実施形態に係るスマートフォン１０は、操作パネル１４Ｂを介する種別表示領域４８Ｂの複数の指定位置５４が相互に近付いた場合、または遠ざかった場合に、抽出領域及び抽出領域に表示している表示対象画像５０を拡大または縮小する制御を行う。これに対し、本第４実施形態に係るスマートフォン１０は、操作パネル１４Ｂを介する種別表示領域４８Ｂの複数の指定位置５４が相互に近付いた場合に、抽出領域を結合して１つの結合領域とする。そして、本第４実施形態に係るスマートフォン１０は、抽出領域の各々に表示していた表示対象画像５０を該結合領域に拡大して表示する制御を行う。
【０１１７】
なお、第４実施形態に係るスマートフォン１０の構成は、第１実施形態乃至第３実施形態に係るスマートフォン１０と同様であるため、ここでの説明は省略する。
【０１１８】
次に、図１８を参照して、本実施形態に係るスマートフォン１０の作用を説明する。なお、図１８は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【０１１９】
始めに、ステップＳ１０１乃至Ｓ１１３では、第１実施形態のステップＳ１０１乃至Ｓ１１３と同一の処理を行う。また、次のステップＳ３０１では、第３実施形態のステップＳ３０１と同一の処理を行い、ステップＳ１１９に移行する。さらに、次のステップＳ１１９乃至Ｓ１２３では、第１実施形態に係るステップＳ１１９乃至Ｓ１２３の処理と同一の処理を行う。なお、ステップＳ１２３で否定判定となった場合は後述するステップＳ１３１に移行する一方、肯定判定となった場合はステップＳ４０１に移行する。
【０１２０】
次のステップＳ４０１では、各抽出領域を結合させて一つの分割領域（以下、「結合領域」という。）４８Ｃとする。この際、主制御部３８は、結合領域４８Ｃのサイズを、結合前の各々の抽出領域を足し合わせたサイズとする。
【０１２１】
次のステップＳ４０３では、各抽出領域に表示していた表示対象画像５０を結合領域４８Ｃに拡大させて表示する制御を行う。この際、主制御部３８は、結合領域４８Ｃのサイズに応じて、各表示対象画像５０を拡大させる。
【０１２２】
一例として図１９（Ａ）に示すように、撮影者Ｂの表示対象画像５０を表示する分割領域４８の種別表示領域４８Ｂの１箇所と、撮影者Ｃの表示対象画像５０を表示する分割領域４８の種別表示領域４８Ｂの１箇所が指定されたとする。また、各指定位置５４が上記分割方向に相互に近付いたとする。この場合、図１９（Ｂ）に示すように、主制御部３８は、撮影者Ｂの表示対象画像５０を表示する分割領域４８と、撮影者Ｃの表示対象画像５０を表示する分割領域４８とを結合して１つの結合領域４８Ｃとする。この際、上述したように、結合領域４８Ｃは、撮影者Ｂの表示対象画像５０を表示する分割領域４８と撮影者Ｃの表示対象画像５０を表示する分割領域４８とを足し合わせたサイズの領域となる。また、主制御部３８は、結合領域４８Ｃに、撮影者Ｂの表示対象画像５０及び撮影者Ｃの表示対象画像５０を、結合領域４８Ｃのサイズに応じて拡大させて表示する。
【０１２３】
次のステップＳ１３１では、第１実施形態のステップＳ１３１と同一の処理を行う。
【０１２４】
なお、操作パネル１４Ｂを介して結合領域４８Ｃに対する予め定められた操作がされた場合、結合領域４８Ｃの結合を解除して結合領域４８Ｃに結合している分割領域４８の各々を個々に表示しても良い。この場合、主制御部３８は、各分割領域４８を結合する前の状態の分割領域４８を表示パネル１４Ａの表示領域に表示する制御を行う。なお、当該予め定められた操作は、例えば結合領域４８Ｃに対する上記ダブルタップの操作や上記長押しの操作である。
【０１２５】
［第５実施形態］
【０１２６】
上記第４実施形態に係るスマートフォン１０は、操作パネル１４Ｂを介した種別表示領域４８Ｂの複数の指定位置５４が近付いた場合に、抽出領域を結合して１つの結合領域４８Ｃとして表示する制御を行う。これに対し、本第５実施形態に係るスマートフォン１０は、操作パネル１４Ｂを介した種別表示領域４８の指定位置５４が他の分割領域４８内に移動した場合、移動前後の分割領域４８を結合して１つの結合領域４８Ｃとして表示する制御を行う。
【０１２７】
なお、第５実施形態に係るスマートフォン１０の構成は、第１実施形態乃至第４実施形態に係るスマートフォン１０と同様であるので、ここでの説明は省略する。
【０１２８】
次に、図２０を参照して、本実施形態に係るスマートフォン１０の作用を説明する。なお、図２０は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【０１２９】
始めに、ステップＳ１０１乃至Ｓ１１３及びＳ１３３では、第１実施形態のステップＳ１０１乃至Ｓ１１７と同一の処理を行う。なお、ステップＳ１１３で否定判定となった場合はステップＳ５０１に移行する。
【０１３０】
ステップＳ５０１では、上記入力操作が種別表示領域４８Ｂを１箇所指定する操作であったか否かを判定する。この際、主制御部３８は、操作パネル１４Ｂを介して何れかの分割領域４８の種別表示領域４８Ｂにおいて１箇所の位置で接触があった場合に、上記入力操作が種別表示領域４８Ｂを１箇所指定する操作であったと判定する。
【０１３１】
ステップＳ５０１で否定判定となった場合はステップＳ１１７に移行し、第１実施形態のステップＳ１１７と同一の処理を行う一方、ステップＳ５０１で肯定判定となった場合はステップＳ５０３に移行する。
【０１３２】
次のステップＳ５０３では、指定位置５４の上記分割方向への移動が開始されたか否かを判定する。この際、主制御部３８は、指定位置５４が上記分割方向への予め定められた距離（例えば３ｍｍ）以上移動した場合に、指定位置５４の上記分割方向への移動が開始されたと判定する。
【０１３３】
ステップＳ５０３で否定判定となった場合はステップＳ１３１に移行する一方、ステップＳ５０３で肯定判定となった場合はステップＳ５０５に移行する。
【０１３４】
次のステップＳ５０５では、指定位置５４の上記分割方向への移動が停止するまで待機する。また、次のステップＳ５０７では、指定位置５４の停止位置が、指定位置に表示されている分割領域４８（以下、「指定領域」という。）以外の分割領域４８（他の分割領域４８）内であるか否かを判定する。なお、本実施形態では、指定位置の停止位置が他の分割領域４８の種別表示領域４８Ｂ内であった場合に、停止位置が指定領域以外の他の分割領域４８内であると判定する。しかし、判定方法はこれに限定されず、停止位置が他の分割領域４８の画像表示領域４８Ａ内である場合にも、停止位置が指定領域以外の他の分割領域４８内であると判定しても良い。
【０１３５】
ステップＳ５０７で否定判定となった場合はステップＳ１３１に移行する一方、ステップＳ５０７で肯定判定となった場合はステップＳ５０９に移行する。
【０１３６】
次のステップＳ５０９では、指定位置５４の停止位置に表示されている分割領域４８を抽出領域として抽出する。なお、指定位置５４に表示されている分割領域４８と抽出領域との間に他の分割領域４８が表示されている場合、当該他の分割領域４８をも抽出領域としても良い。
【０１３７】
次のステップＳ５１１では、指定領域及び抽出領域を結合させて１つの結合領域４８Ｃとする。また、次のステップＳ５１３では、指定領域及び抽出領域４８Ｃに表示していた表示対象画像５０を結合領域４８Ｃに拡大させて表示する制御を行う。
【０１３８】
一例として図２１（Ａ）に示すように、撮影者Ｂの表示対象画像５０を表示する分割領域４８の種別表示領域４８Ｂの１箇所が指定され、指定位置５４が撮影者Ｃの表示対象画像５０を表示する分割領域４８の種別表示領域４８Ｂ内に移動したとする。この場合、図２１（Ｂ）に示すように、主制御部３８は、撮影者Ｂの表示対象画像５０を表示する分割領域４８と撮影者Ｃの表示対象画像５０を表示する分割領域４８とを結合して１つの結合領域４８Ｃとする。なお、結合領域４８Ｃは、撮影者Ｂの表示対象画像５０を表示する分割領域４８と撮影者Ｃの表示対象画像５０を表示する分割領域４８とを足し合わせた領域となる。また、主制御部３８は、結合領域４８Ｃに、撮影者Ｂの表示対象画像５０と撮影者Ｃの表示対象画像５０を、結合領域４８Ｃのサイズに応じて拡大させて表示する。
【０１３９】
次のステップＳ１３１では、第１実施形態のステップＳ１３１と同一の処理を行う。
【０１４０】
なお、操作パネル１４Ｂを介して結合領域４８Ｃに対する予め定められた操作がされた場合、結合領域４８Ｃの結合を解除して結合領域４８Ｃに結合している分割領域４８の各々を個々に表示しても良い。この場合、主制御部３８は、各分割領域４８を結合する前の状態の分割領域４８を表示パネル１４Ａの表示領域に表示する制御を行う。なお、当該予め定められた操作は、例えば結合領域４８Ｃに対する上記ダブルタップの操作や上記長押しの操作である。
【０１４１】
［第６実施形態］
【０１４２】
上記第１実施形態乃至第５実施形態に係るスマートフォン１０は、操作パネル１４Ｂを介して分割領域４８が指定されて予め定められた操作がされた場合、抽出領域を拡大または縮小する制御を行う。これに対し、本第６実施形態に係るスマートフォン１０は、操作パネル１４Ｂを介して各分割領域４８の境界領域が指定された場合、境界領域に隣接する分割領域４８を拡大または縮小する制御を行う。
【０１４３】
なお、第６実施形態に係るスマートフォン１０の構成は、第１実施形態乃至第５実施形態に係るスマートフォン１０と同一であるので、ここでの説明は省略する。
【０１４４】
次に、図２２を参照して、本実施形態に係るスマートフォン１０の作用を説明する。なお、図２２は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【０１４５】
始めに、ステップＳ１０１乃至１１３及びＳ１３３では、第１実施形態のステップＳ１０１乃至Ｓ１１３と同一の処理を行う。なお、ステップＳ１１３で否定判定となった場合はステップＳ６０１に移行する。
【０１４６】
ステップＳ６０１では、上記入力操作が各分割領域４８の境界領域を１箇所以上指定する操作であったか否かを判定する。この際、主制御部３８は、操作パネル１４Ｂを介して、各分割領域４８の境界線から予め定められた距離（例えば１ｍｍ）内の１箇所以上の位置で接触があった場合に、上記入力操作が各分割領域４８の境界領域を１箇所以上指定する操作であると判定する。
【０１４７】
ステップＳ６０１で否定判定となった場合はステップＳ１１７に移行し、第１実施形態とステップＳ１１７と同一の処理を行う一方、肯定判定となった場合はステップＳ６０３に移行する。
【０１４８】
次のステップＳ６０３では、指定位置５４が上記分割方向に移動したか否かを判定する。この際、主制御部３８は、指定位置５４が上記分割方向に予め定められた距離（例えば３ｍｍ）以上移動した場合に、指定位置５４が移動したと判定する。
【０１４９】
ステップＳ６０３において否定判定となった場合はステップＳ１３１に移行する一方、肯定判定となった場合はステップＳ６０５に移行する。
【０１５０】
次のステップＳ６０５では、指定位置５４の上記分割方向への移動に応じて、指定位置５４に最も近い境界領域（以下、「指定境界領域」という。）を上記分割方向に移動させる。主制御部３８は、指定境界領域を移動させることで、指定境界領域に隣接する分割領域４８を上記分割方向に拡大または縮小する制御を行う。
【０１５１】
次のステップＳ６０７では、指定境界領域に隣接する分割領域４８に表示している表示対象画像５０を、当該分割領域４８の拡大または縮小に応じて、アスペクト比を維持しつつ拡大または縮小する制御を行う。
【０１５２】
一例として図２３（Ａ）に示すように、操作パネル１４Ｂを介して撮影者Ａの表示対象画像５０を表示する分割領域４８及び撮影者Ｂの表示対象画像５０を表示する分割領域４８の境界領域ＡＢが指定されたとする。また、撮影者Ｃの表示対象画像５０を表示する分割領域４８及び撮影者Ｄの表示対象画像５０を表示する分割領域４８の境界領域ＣＤが指定されたとする。さらに、指定位置５４が上記分割方向において相互に遠ざかる方向に移動したとする。この場合、図２３（Ｂ）に示すように、主制御部３８は、指定位置５４の移動に応じて境界領域ＡＢ及び境界領域ＣＤを上記分割方向に相互に遠ざかる方向に移動させる。これに伴い、主制御部３８は、境界領域ＡＢ及び境界領域ＣＤの間に存在する撮影者Ｂの表示対象画像５０を表示する分割領域４８及び撮影者Ｃの表示対象画像５０を表示する分割領域４８を拡大する。この際、撮影者Ｂの表示対象画像５０を表示する分割領域４８の拡大に応じて、撮影者Ｂの表示対象画像５０が拡大されて表示される。また、撮影者Ｃの表示対象画像５０を表示する分割領域４８の拡大に応じて、撮影者Ｃの表示対象画像５０も拡大されて表示される。
【０１５３】
なお、２つの指定境界領域の間に３つ以上の分割領域４８が存在する場合には、当該３つ以上の分割領域４８の各々のサイズを同一とした状態で、当該３つ以上の分割領域４８の各々を拡大または縮小する制御を行う。また、当該３つ以上の分割領域４８の各々のサイズが異なっていた場合には、当該３つ以上の分割領域４８の各々のサイズの比率を変えずに、当該３つ以上の分割領域４８の各々を拡大または縮小する制御を行う。
【０１５４】
また、本実施形態では、指定境界領域が２つ以上であった場合、各指定境界領域に挟まれない分割領域４８のサイズを変更させないが、これに限定されない。すなわち、各指定境界領域に挟まれた分割領域４８を拡大した場合、各指定境界領域に挟まれない分割領域４８を上記拡大の拡大率が大きくなるほど縮小率を大きくして縮小させても良い。また、各指定境界領域に挟まれた分割領域４８が縮小した場合には、各指定境界領域に挟まれない分割領域４８を上記縮小の縮小率が大きくなるほど拡大率を大きくして拡大させても良い。
【０１５５】
次のステップＳ１３１では、第１実施形態のステップＳ１３１と同一の処理を行う。
【０１５６】
なお、本実施形態において、境界領域を移動させることにより抽出領域及び抽出領域に表示している表示対象画像５０を拡大または縮小する制御を行った後に、移動させた境界領域に対して例えば上記ダブルタップ等の予め定められた操作がされたとする。この場合、当該境界領域を移動前の状態に戻し、抽出領域及び抽出領域に表示している表示対象画像５０を拡大または縮小する前の状態に戻す制御を行うと良い。
【０１５７】
［第７実施形態］
【０１５８】
上記第１実施形態に係るスマートフォン１０は、操作パネル１４Ｂを介して分割領域４８が指定されて予め定められた操作がされた場合、抽出領域を拡大または縮小する制御を行う。これに対し、本第７実施形態に係るスマートフォン１０は、操作パネル１４Ｂを介して予め定められた操作がされた場合、操作パネル１４Ｂを介して予め指定された拡大及び縮小の制御対象とする分割領域４８を拡大または縮小する制御を行う。
【０１５９】
なお、第７実施形態に係るスマートフォン１０の構成は、第１実施形態乃至第６実施形態に係るスマートフォン１０と同一であるので、ここでの説明は省略する。
【０１６０】
次に、図２４を参照して、本実施形態に係るスマートフォン１０の作用を説明する。なお、図２４は、操作パネル１４Ｂまたは操作部２０を介して実行指示が入力された際にスマートフォン１０の主制御部３８によって実行される表示制御処理プログラムの処理の流れを示すフローチャートである。当該プログラムは、内部記憶部２８Ａの予め定められた領域に予め記憶されている。
【０１６１】
始めに、ステップＳ１０１乃至１１３及びＳ１３３では、第１実施形態のステップＳ１０１乃至Ｓ１１３と同一の処理を行う。なお。ステップＳ１１３で否定判定となった場合はステップＳ７０１に移行する。
【０１６２】
ステップＳ７０１では、上記入力操作が各分割領域４８の種別表示領域４８Ｂを指定する操作であったか否かを判定する。この際、主制御部３８は、操作パネル１４Ｂを介して、何れかの分割領域４８の種別表示領域４８Ｂの内部の１箇所以上の位置で接触があった場合に、上記入力操作が各分割領域４８の種別表示領域４８Ｂを指定する操作であると判定する。
【０１６３】
ステップＳ７０１で否定判定となった場合はステップＳ１１５に移行する一方、肯定判定となった場合はステップＳ７０３に移行する。
【０１６４】
次のステップＳ７０３では、指定位置５４に表示されている分割領域４８に、指定された分割領域４８である旨の標記５６を表示する制御を行う。
【０１６５】
一例として図２５（Ａ）に示すように、撮影者Ｂの分割領域４８の種別表示領域４８Ｂが指定された場合、撮影者Ｂの分割領域４８の種別表示領域４８Ｂの背景色を、制御対象として指定された領域であることを意味する色に変更する。
【０１６６】
なお、指定された種別表示領域４８Ｂの分割領域４８が、既に制御対象として指定されていた場合、当該分割領域４８を制御対象から外し、当該分割領域４８の種別表示領域４８Ｂの背景色を元の色に戻すと良い。
【０１６７】
次のステップＳ７０５では、制御対象である旨が表示された分割領域４８を抽出し、抽出した分割領域４８を上記抽出領域とする。
【０１６８】
次のステップＳ１１５では、第１実施形態のステップＳ１１５と同一の処理を行い、否定判定となった場合はステップＳ１３１に移行する一方、肯定判定となった場合はステップＳ１２１に移行する。
【０１６９】
次のステップＳ１２１乃至ステップＳ１３１では、第１実施形態のステップＳ１２１乃至ステップＳ１３１と同一の処理を行う。
【０１７０】
一例として図２５（Ａ）に示すように、撮影者Ｂの表示対象画像５０を表示する分割領域４８の種別表示領域４８Ｂが指定され、同様に撮影者Ｄの表示対象画像５０を表示する分割領域４８の種別表示領域４８Ｂが指定されたとする。この場合、主制御部３８は、撮影者Ｂの表示対象画像５０を表示する分割領域４８と撮影者Ｄの表示対象画像５０を表示する分割領域４８とが抽出領域とする。また、図２５（Ｂ）に示すように、画像表示領域４８Ａにおいて２箇所の位置が指定され、指定位置５４が上記分割方向に相互に遠ざかる方向に移動したとする。この場合、主制御部３８は、撮影者Ｂの表示対象画像５０を表示する分割領域４８と撮影者Ｄの表示対象画像５０を表示する分割領域４８とを拡大する。
【０１７１】
なお、本実施形態では、制御対象とする分割領域４８が指定され、制御対象として指定された分割領域４８を抽出領域とするが、これに限定されない。すなわち、制御対象としない分割領域４８が指定され、制御対象としない分割領域４８として指定された分割領域４８を制御対象から除外しても良い。
【０１７２】
一例として図２６（Ａ）に示すように、撮影者Ａの表示対象画像５０を表示する分割領域４８の種別表示領域４８Ｂが指定され、同様に撮影者Ｃの表示対象画像５０を表示する分割領域４８の種別表示領域４８Ｂが指定されたとする。この場合、主制御部３８は、指定されていない撮影者Ｂの表示対象画像５０を表示する分割領域４８と撮影者Ｄの表示対象画像５０を表示する分割領域４８とを抽出領域とする。よって、図２６（Ｂ）に示すように、画像表示領域４８Ａにおいて２箇所の位置が指定され、指定位置５４が上記分割方向に相互に遠ざかる方向に移動したとする。この場合、主制御部３８は、撮影者Ｂの表示対象画像５０を表示する分割領域４８と撮影者Ｄの表示対象画像５０を表示する分割領域４８とを拡大する。
【０１７３】
なお、本実施形態では、ステップＳ７０１で種別表示領域４８Ｂが指定されたか否かを判定する際、操作パネル１４Ｂを介して当該種別表示領域４８Ｂを触れた場合に、当該種別表示領域４８Ｂが指定されたと判定するが、これに限らない。すなわち、図２６（Ａ）に示すように、種別表示領域４８Ｂ内の１箇所の位置が指定されてから指定位置５４を表示パネル１４Ａの表示領域の端部まで移動させる操作が行われた場合に、当該種別表示領域４８Ｂが指定されたと判定しても良い。また、この際、指定された種別表示領域４８Ｂをユーザに直感的に認識させるために、図２６（Ａ）に示すように、指定された種別表示領域４８Ｂの分割領域４８を、指定位置５４の移動に応じて上記配列方向にずらして表示しても良い。
【符号の説明】
【０１７４】
１０  スマートフォン
１４Ａ  表示パネル
１４Ｂ  操作パネル
２８  記憶部
３８  主制御部
４６  画像一覧画面
【図１】
2014071762.tif 000003
【図２】
2014071762.tif 000004
【図３】
2014071762.tif 000005
【図４】
2014071762.tif 000006
【図５】
2014071762.tif 000007
【図６】
2014071762.tif 000008
【図７】
2014071762.tif 000009
【図８】
2014071762.tif 000010
【図９】
2014071762.tif 000011
【図１０】
2014071762.tif 000012
【図１１】
2014071762.tif 000013
【図１２】
2014071762.tif 000014
【図１３】
2014071762.tif 000015
【図１４】
2014071762.tif 000016
【図１５】
2014071762.tif 000017
【図１６】
2014071762.tif 000018
【図１７】
2014071762.tif 000019
【図１８】
2014071762.tif 000020
【図１９】
2014071762.tif 000021
【図２０】
2014071762.tif 000022
【図２１】
2014071762.tif 000023
【図２２】
2014071762.tif 000024
【図２３】
2014071762.tif 000025
【図２４】
2014071762.tif 000026
【図２５】
2014071762.tif 000027
【図２６】
2014071762.tif 000028